(57)【要約】【課題】  洗濯時の界面活性剤濃度が低濃度の場合においても優れた洗浄効果を発揮することができ、なおかつノニオン界面活性剤とアニオン界面活性剤の併用で皮脂汚れの洗浄性が低下しない衣料用洗浄剤組成物を提供する。【解決手段】  特定の一般式で表されるポリオキシアルキレンアルキルエーテル（Ａ）と、特定の一般式で表されるポリオキシアルキレンアルキルエーテル（Ｂ）と、アニオン界面活性剤（Ｃ）とを含有する衣料用洗浄剤組成物である。【選択図】    なし【特許請求の範囲】
【請求項１】
下記一般式（１）で表されるポリオキシアルキレンアルキルエーテル（Ａ）と、下記一般式（２）で表されるポリオキシアルキレンアルキルエーテル（Ｂ）と、アニオン界面活性剤（Ｃ）とを含有する衣料用洗浄剤組成物。
Ｒ１−Ｏ−（Ａ１Ｏ）ｍ−Ｈ      （１）
Ｒ２−Ｏ−（Ａ２Ｏ）ｎ−Ｈ      （２）
［一般式（１）及び一般式（２）中、Ｒ１及びＲ２は、それぞれ独立に炭素数１０〜１８のアルキル基であり；Ａ１Ｏ及びＡ２Ｏは、それぞれ独立に炭素数２〜４のアルキレンオキシ基であり；ｍはＡ１Ｏの平均付加モル数を表し、９以上２５未満の数であり；ｎはＡ２Ｏの平均付加モル数を表し、２５以上５０以下の数であり；ｎ−ｍが１０以上の数であり；複数あるＡ１Ｏ及びＡ２Ｏは、同一でも異なっていてもよい。］
【請求項２】
前記（Ａ）と前記（Ｂ）との重量比率［（Ａ）／（Ｂ）］が、１０／９０〜９０／１０である請求項１に記載の衣料用洗浄剤組成物。
【請求項３】
前記ｍが１２以上２５未満の数である請求項１又は２に記載の衣料用洗浄剤組成物。
【請求項４】
前記ｎが２５以上４０以下の数である請求項１〜３のいずれか１項に記載の衣料用洗浄剤組成物。
【請求項５】
前記ｎ−ｍが１０以上３０以下の数である請求項１〜４のいずれか１項に記載の衣料用洗浄剤組成物。
【請求項６】
複数ある前記Ａ１Ｏの内、少なくとも１個がエチレンオキシ基であり、かつ複数ある前記Ａ２Ｏの内、少なくとも１個がエチレンオキシ基である請求項１〜５のいずれか１項に記載の衣料用洗浄剤組成物。
【請求項７】
前記（Ａ）のＨＬＢ値が１２以上１５未満であり、かつ前記（Ｂ）のＨＬＢ値が１５以上１８以下である請求項１〜６のいずれか１項に記載の衣料用洗浄剤組成物。
【請求項８】
前記（Ｃ）が、スルホン酸塩、硫酸塩及びアルキル脂肪酸塩からなる群から選ばれる少なくとも一種のアニオン界面活性剤である請求項１〜７のいずれか１項に記載の衣料用洗浄剤組成物。
【請求項９】
前記（Ａ）〜（Ｃ）の合計重量に対する前記（Ｃ）の重量の比率〔（Ｃ）／［（Ａ）＋（Ｂ）＋（Ｃ）］〕が、０．１〜０．９である請求項１〜８のいずれか１項に記載の衣料用洗浄剤組成物。
【発明の詳細な説明】
【技術分野】
【０００１】
本発明は衣料用洗浄剤組成物に関する。
【背景技術】
【０００２】
近年、深刻化する環境問題に対して地球環境にやさしい製品の開発の重要性が増しており、環境や生態系へ排出される製品については環境や生態系への配慮がよりいっそう必要である。一般家庭から排出される製品としては衣料用洗浄剤が挙げられ、含有される界面活性剤の環境や生態系への悪影響が懸念されている。
従って、洗浄力に優れるだけでなく、洗濯１回あたりの使用量低減効果に優れる界面活性剤が要求されている。
【０００３】
例えば特許文献１と特許文献２は、界面活性剤を高濃度での使用性を向上させる技術であり、製品をコンパクト化することで輸送面において環境に配慮した製品であると言えるが、界面活性剤自体の使用量低減効果については言及されていない。
また特許文献３は、皮脂汚れに対する洗浄性を向上させる技術としてエチレンオキサイドの平均付加モル数が異なるノニオン界面活性剤を併用することを提案している。
ところで、タンパク汚れに対する洗浄性を向上させるためには、一般にアニオン界面活性剤が用いられる。
しかし、皮脂汚れとタンパク汚れではその汚れの性質が異なるため、ノニオン界面活性剤を単独で使用した場合と比較した場合に、これらのノニオン界面活性剤とアニオン界面活性剤を併用すると、タンパク汚れに対する洗浄性は向上するものの皮脂汚れに対する洗浄性が低下するといった課題がある。
従って、アニオン界面活性剤を併用した際も、皮脂汚れの洗浄性が低下しないノニオン界面活性剤とアニオン界面活性剤の組みあわせが求められる。
【先行技術文献】
【特許文献】
【０００４】
【特許文献１】特開２０１１−２０８１３０号公報
【特許文献２】特開２０１１−０４２７６６号公報
【特許文献３】特開２０１４−０１２７８５号公報
【発明の概要】
【発明が解決しようとする課題】
【０００５】
本発明は上記事情を鑑みてなされたものであり、洗濯時の界面活性剤濃度が低濃度の場合においても優れた洗浄効果を発揮することができ、なおかつノニオン界面活性剤とアニオン界面活性剤の併用で皮脂汚れの洗浄性が低下しない衣料用洗浄剤組成物を提供することを目的とする。
【課題を解決するための手段】
【０００６】
本発明者らは、上記の目的を達成するべく検討を行った結果、本発明に到達した。
すなわち、本発明は、下記一般式（１）で表されるポリオキシアルキレンアルキルエーテル（Ａ）と、下記一般式（２）で表されるポリオキシアルキレンアルキルエーテル（Ｂ）と、アニオン界面活性剤（Ｃ）とを含有する衣料用洗浄剤組成物である。
【０００７】
Ｒ１−Ｏ−（Ａ１Ｏ）ｍ−Ｈ      （１）
Ｒ２−Ｏ−（Ａ２Ｏ）ｎ−Ｈ      （２）
［一般式（１）及び一般式（２）中、Ｒ１及びＲ２は、それぞれ独立に炭素数１０〜１８のアルキル基であり；Ａ１Ｏ及びＡ２Ｏは、それぞれ独立に炭素数２〜４のアルキレンオキシ基であり；ｍはＡ１Ｏの平均付加モル数を表し、９以上２５未満の数であり；ｎはＡ２Ｏの平均付加モル数を表し、２５以上５０以下の数であり；ｎ−ｍが１０以上の数であり；複数あるＡ１Ｏ及びＡ２Ｏは、同一でも異なっていてもよい。］
【発明の効果】
【０００８】
本発明の衣料用洗浄剤組成物は、洗濯時の界面活性剤濃度が低濃度の場合においても、優れた洗浄効果を発揮することができ、なおかつノニオン界面活性剤とアニオン界面活性剤の併用で皮脂汚れの洗浄性が低下しないという効果を奏する。
【発明を実施するための形態】
【０００９】
本発明の衣料用洗浄剤組成物は、一般式（１）で表されるポリオキシアルキレンアルキルエーテル（Ａ）と、一般式（２）で表されるポリオキシアルキレンアルキルエーテル（Ｂ）と、アニオン界面活性剤（Ｃ）とを含有する。
【００１０】
Ｒ１−Ｏ−（Ａ１Ｏ）ｍ−Ｈ      （１）
Ｒ２−Ｏ−（Ａ２Ｏ）ｎ−Ｈ      （２）
【００１１】
一般式（１）中のＲ１及び一般式（２）中のＲ２は、それぞれ独立に炭素数１０〜１８のアルキル基を表し、炭素数１２〜１４のアルキル基であることが好ましい。
一般式（１）及び（２）において、Ｒ１とＲ２が炭素数９以下もしくは１９以上のアルキル基である場合、皮脂汚れに対する洗浄性が悪化する。
炭素数１０〜１８のアルキル基としては、直鎖もしくは分岐のアルキル基等が挙げられ、具体的には、ｎ−又はイソデシル基、ｎ−又はイソラウリル基、ｎ−又はイソトリデシル基、ｎ−又はイソミリスチル基、ｎ−又はイソセチル基及びｎ−又はイソステアリル基等が挙げられる。
【００１２】
一般式（１）中のＡ１Ｏ及び一般式（２）中のＡ２Ｏは、それぞれ独立に炭素数２〜４のオキシアルキレン基である。
なお、２〜４のアルキレンオキシ基としては、エチレンオキシ基、プロピレンオキシ基及びブチレンオキシ基等が挙げられる。
また、複数あるＡ１Ｏ及びＡ２Ｏは、同一でも異なっていてもよい。
前記のＡ１Ｏ及びＡ２Ｏは、エチレンオキシ基の単独使用、又はエチレンオキシ基とプロピレンオキシ基の併用であることが好ましく、エチレンオキシ基の単独使用であることが更に好ましい。
また、Ａ１Ｏ又はＡ２Ｏを２種以上併用する場合は、ブロック状に結合していてもランダム状に結合していてもよい。
【００１３】
一般式（１）で表されるポリオキシアルキレンアルキルエーテル（Ａ）のｍは、Ａ１Ｏの平均付加モル数を表し、９以上２５未満の数であり、皮脂汚れに対する洗浄率の観点から好ましくは１２以上２５未満の数である。
一方、一般式（２）で表されるポリオキシアルキレンアルキルエーテル（Ｂ）のｎは、Ａ２Ｏの平均付加モル数を表し、２５以上５０以下の数であって、皮脂汚れに対する洗浄性の観点から好ましくは２５以上４０以下の数である。
更に、皮脂汚れに対する洗浄性の観点から、ｎ−ｍは１０以上の数であり、好ましくは１０〜３０の数である。
【００１４】
前記のポリオキシアルキレンアルキルエーテル（Ａ）及び前記のポリオキシアルキレンアルキルエーテル（Ｂ）は、１種を単独でも用いても、２種以上を併用しても良い。
【００１５】
前記のポリオキシアルキレンアルキルエーテル（Ａ）と前記のポリオキシアルキレンアルキルエーテル（Ｂ）との重量比率［（Ａ）／（Ｂ）］は、皮脂汚れに対する洗浄性の観点から、１０／９０〜９０／１０であることが好ましく、更に好ましくは３０／７０〜７０／３０である。
【００１６】
本発明の衣料用洗浄剤組成物が含有する前記のポリオキシアルキレンアルキルエーテル（Ａ）と前記のポリオキシアルキレンアルキルエーテル（Ｂ）との合計重量の割合は、皮脂汚れに対する洗浄性の観点から、衣料用洗浄剤組成物の重量を基準として、０．１〜０．０１重量％であることが好ましく、更に好ましくは０．０５〜０．０２重量％である。
【００１７】
一般式（１）で表されるポリオキシアルキレンアルキルエーテル（Ａ）及び一般式（２）で表されるポリオキシアルキレンアルキルエーテル（Ｂ）は共に、公知の方法により製造することができる。
例えば、炭素数１０〜１８の高級アルコールに、アルカリ又は酸触媒を加え、窒素雰囲気下にて炭素数２〜４アルキレンオキサイド（エチレンオキサイド、１，２−又は１，３−プロピレンオキサイド及び１，２−、１，３−、１，４−又は２，３−ブチレンオキサイド等）を付加して製造することができる。高級アルコールとしては、ヤシアルコール、パームアルコール等の天然由来のアルコール等が挙げられる。
【００１８】
一般式（１）で表されるポリオキシアルキレンアルキルエーテル（Ａ）のＨＬＢ（Ｈｙｄｒｏｐｈｉｌｅ−Ｌｉｐｏｐｈｉｌｅ  Ｂａｌａｎｃｅ）値は、界面張力の調整による皮脂汚れに対する洗浄性向上の観点から１２以上１５未満であることが好ましく、更に好ましくは１３．５以上１５未満である。
一方、一般式（２）で表されるポリオキシアルキレンアルキルエーテル（Ｂ）のＨＬＢ値は、界面粘弾性の調整による皮脂汚れに対する洗浄性向上の観点から１５以上１８未満であることが好ましく、更に好ましくは１５．５以上１６．５以下である。
【００１９】
ここでＨＬＢ値とは、無機性／有機性のバランスを示す尺度であり、ＨＬＢ値が高いほど無機性が高いことを意味する。本発明におけるＨＬＢ値としては、小田法により下記の計算式で算出した値を用いる。
ＨＬＢ≒１０×無機性／有機性
（参考：「界面活性剤入門」２００７年  三洋化成工業株式会社発行  Ｐ２１２）
【００２０】
本発明の衣料用洗浄剤組成物は、タンパク汚れに対する洗浄性の観点から、ポリオキシアルキレンアルキルエーテル（Ａ）と、ポリオキシアルキレンアルキルエーテル（Ｂ）の他に、更にアニオン界面活性剤（Ｃ）を含有する。
本発明の衣料用洗浄剤組成物に適したアニオン界面活性剤（Ｃ）としては、スルホン酸塩、硫酸塩及びアルキル脂肪酸塩等が挙げられ、タンパク汚れに対する洗浄性の観点から好ましいのは、炭素数１０〜１００のアニオン界面活性剤であり、更に好ましいのは炭素数１０〜２５のアニオン界面活性剤である。
スルホン酸塩としては、ドデシルベンゼンスルホン酸ナトリウム及びテトラデシルベンゼンスルホン酸ナトリウム等が挙げられる。
硫酸塩としては、ラウリル硫酸ナトリウム及びポリオキシエチレンラウリルエーテル硫酸ナトリウム等が挙げられる。
アルキル脂肪酸塩としてはラウリン酸モノエタノールアミン塩及びラウリン酸ジエタノールアミン塩等が挙げられる。
アニオン界面活性剤（Ｃ）は、１種を単独で用いても、２種以上を併用しても良い。
【００２１】
本発明の衣料用洗浄剤組成物に含まれるアニオン界面活性剤（Ｃ）の、前記の（Ａ）〜（Ｃ）の合計重量に基づく重量の比率〔（Ｃ）／［（Ａ）＋（Ｂ）＋（Ｃ）］〕は、タンパク汚れに対する洗浄性の観点から、０．１〜０．９であることが好ましく、更に好ましくは０．３〜０．６である。
【００２２】
本発明の衣料用洗浄剤組成物が含有する前記のアニオン界面活性剤（Ｃ）の重量割合は、タンパク汚れに対する洗浄性の観点から、衣料用洗浄剤組成物の重量を基準として、０．０１〜０．００１重量％であることが好ましく、更に好ましくは０．００８〜０．００２重量％である。
【００２３】
本発明の衣料用洗浄剤組成物の界面粘弾性は、皮脂汚れに対する洗浄性の観点から３．０ｍＮ／ｍ以下であることが好ましい。
なお、本出願において、界面粘弾性は、以下の方法で測定することができる。
＜界面粘弾性の測定＞
界面粘弾性の測定は界面粘弾性測定装置［ＴＥＣＬＩＳ 社製］を使用して、後述の液体皮脂汚れモデルと衣料用洗浄剤組成物との界面粘弾性（ｍＮ/ｍ）を測定する。
なお、界面粘弾性を算出する際の液体皮脂汚れモデルと衣料用洗浄剤組成物との比重差は０．１０８ｇ/ｃｍ３とし、液滴容量を規則的に変化させる周波数は１．０Ｈｚとする。
＜液体皮脂汚れモデルの組成＞
オレイン酸：５８重量部
トリオレイン：３２重量部
流動パラフィン［和光純薬工業（株）製］：５重量部
スクアレン：５重量部
【００２４】
本発明の衣料用洗浄剤組成物は、性状の違いにより、以下の方法を選択して製造することができる。
具体的に、衣料用洗浄剤組成物の性状が液体状又はペースト状の場合は、撹拌機及び加熱冷却装置を備えた混合槽に、前記のポリオキシアルキレンアルキルエーテル（Ａ）と、前記のポリオキシアルキレンアルキルエーテル（Ｂ）と、前記のアニオン界面活性剤（Ｃ）と、更には必要に応じて公知の界面活性剤と、水と、その他の成分とを投入順序に特に制限なく投入し、１０〜５０℃で均一になるまで撹拌して製造する方法等が挙げられる。
【００２５】
本発明の衣料用洗浄剤組成物は、優れた皮脂汚れ洗浄性及びタンパク汚れ洗浄性を示すため、特に衣料用洗浄剤として、セルロース繊維、合成繊維、羊毛、絹及びアセテート繊維等を含む編物並びに織物等の洗浄に有用である。
【実施例】
【００２６】
以下、実施例及び比較例により本発明をさらに説明するが、本発明はこれらに限定されるものではない。以下、特に定めない限り、％は重量％、部は重量部を示す。
【００２７】
製造例１        
撹拌気、温度計、圧力計、耐圧滴下ボンベ、減圧及び窒素導入ラインの付いた２Ｌオートクレーブ中にミリスチルアルコール２１４部（１モル部）、水酸化カリウム０．４部を加え撹拌を開始し窒素封入し１３０℃に昇温した後、ゲージ圧−０．１ＭＰａＧで１時間脱水した。次いで１８０℃に昇温し、ゲージ圧０．３ＭＰａＧ以下でエチレンオキサイド６１６部（１４モル部）を３時間かけて逐次滴下し、同温度で圧平衡になるまで１時間撹拌した。その後６０℃に冷却し、酢酸０．４部で中和し、本発明の実施例に用いるポリオキシアルキレンアルキルエーテル（Ａ−１）を得た。
【００２８】
製造例２    
製造例１において、ミリスチルアルコールをラウリルアルコール１８６部（１モル部）に変更した以外は製造例１と同様に製造し、ポリオキシアルキレンアルキルエーテル（Ａ−２）を得た。
【００２９】
製造例３  
製造例１において、滴下するエチレンオキサイドの重量を８８０部（２０モル部）に変更した以外は製造例１と同様に製造し、ポリオキシアルキレンアルキルエーテル（Ａ−３）を得た。
【００３０】
製造例４  
製造例１において、ミリスチルアルコールをラウリルアルコール１８６部（１モル部）に、滴下するエチレンオキサイドの重量を１３２０部（３０モル部）に変更した以外は製造例１と同様に製造し、ポリオキシアルキレンアルキルエーテル（Ｂ−１）を得た。
【００３１】
製造例５  
製造例１において、滴下するエチレンオキサイドの重量を１３２０部（３０モル部）に変更した以外は製造例１と同様に製造し、ポリオキシアルキレンアルキルエーテル（Ｂ−２）を得た。
【００３２】
製造例６  
製造例１において、ミリスチルアルコールをラウリルアルコール１８６部（１モル部）に、滴下するエチレンオキサイドの重量を１１８８部（２７モル部）に変更した以外は製造例１と同様に製造し、ポリオキシアルキレンアルキルエーテル（Ｂ−３）を得た。
【００３３】
比較製造例１  
製造例１において、滴下するエチレンオキサイドの重量を２２０部（５モル部）に変更した以外は製造例１と同様に製造し、比較例用のポリオキシアルキレンアルキルエーテル（Ａ’−１）を得た。
【００３４】
比較製造例２  
製造例１において、ミリスチルアルコールをノニルアルコール１４４部（１モル部）に変更した以外は製造例１と同様に製造し、比較例用のポリオキシアルキレンアルキルエーテル（Ａ’−２）を得た。
【００３５】
比較製造例３  
製造例１において、ミリスチルアルコールをエイコシルアルコール２９９部（１モル部）に変更した以外は製造例１と同様に製造し、比較例用のポリオキシアルキレンアルキルエーテル（Ａ’−３）を得た。
【００３６】
比較製造例４  
製造例１において、滴下するエチレンオキサイドの重量を２６４０部（６０モル部）に変更した以外は製造例１と同様に製造し、比較例用のポリオキシアルキレンアルキルエーテル（Ｂ’−１）を得た。
【００３７】
比較製造例５  
製造例１において、ミリスチルアルコールをノニルアルコール１４４部（１モル部）に、滴下するエチレンオキサイドの重量を１３２０部（３０モル部）に変更した以外は製造例１と同様に製造し、比較例用のポリオキシアルキレンアルキルエーテル（Ｂ’−２）を得た。
【００３８】
比較製造例６  
製造例１において、ミリスチルアルコールをエイコシルアルコール２９９部（１モル部）、滴下するエチレンオキサイドの重量を１３２０部（３０モル部）に変更した以外は製造例１と同様に製造し、比較例用のポリオキシアルキレンアルキルエーテル（Ｂ’−３）を得た。
【００３９】
上記のようにして得たポリオキシアルキレンアルキルエーテル（Ａ−１）〜（Ａ−３）、比較例用のポリオキシアルキレンアルキルエーテル（Ａ’−１）〜（Ａ’−３）、ポリオキシアルキレンアルキルエーテル（Ｂ−１）〜（Ｂ−３）及び比較例用のポリオキシアルキレンアルキルエーテル（Ｂ’−１）〜（Ｂ’−３）の化学組成を表１に示す。
【００４０】
【表１】
2018024855.tif 000002
【００４１】
ポリオキシアルキレンアルキルエーテル（Ａ−１）〜（Ａ−３）、比較例用のポリオキシアルキレンアルキルエーテル（Ａ’−１）〜（Ａ’−３）、ポリオキシアルキレンアルキルエーテル（Ｂ−１）〜（Ｂ−３）、比較例用のポリオキシアルキレンアルキルエーテル（Ｂ’−１）〜（Ｂ’−３）、アルキルベンゼンスルホン酸ナトリウム塩（Ｃ−１）［商品名：テイカパワーＬＮ２４５０、テイカ（株）製］、アルキル硫酸ナトリウム塩（Ｃ−２）［商品名：ＮＩＫＫＯＬ  ＳＬＳ、日光ケミカルズ（株）製］及び水を表２に記載した配合比（重量部）で配合して衣料用洗浄剤組成物を作成した。
配合した各衣料用洗浄剤組成物について、界面張力と界面粘弾性を測定し、皮脂汚れとタンパク汚れの洗浄試験を行い、性能評価を実施した。
【００４２】
【表２】
2018024855.tif 000003
【００４３】
＜界面張力の測定＞
界面張力の測定は界面張力計［協和界面（株）製］を使用して、下記の配合比率で作成した  液体皮脂汚れモデル用いて、界面張力（ｍＮ/ｍ）を測定した。
オレイン酸：５８重量部
トリオレイン：３２重量部
流動パラフィン［和光純薬工業（株）製］：５重量部
スクアレン：５重量部
なお、界面張力を算出する際の液体皮脂汚れモデルと表２記載の衣料用洗浄剤組成物との比重差は０．１０８ｇ/ｃｍ３とする。
【００４４】
下記の判定基準で界面張力を判定した。
○：２．０ｍＮ/ｍ未満
△：２．０ｍＮ/ｍ以上、５．０ｍＮ/ｍ未満
×：５．０ｍＮ/ｍ以上
【００４５】
＜界面粘弾性の測定＞
界面粘弾性の測定は界面粘弾性測定装置［ＴＥＣＬＩＳ 社製］を使用して、上記の液体皮脂汚れモデルと衣料用洗浄剤組成物との界面粘弾性（ｍＮ/ｍ）を測定した。
なお、界面粘弾性を算出する際の液体皮脂汚れモデルと表２記載の衣料用洗浄剤組成物との比重差は０．１０８ｇ/ｃｍ３とし、液滴容量を規則的に変化させる周波数は１．０Ｈｚとした。
【００４６】
下記の判定基準で界面粘弾性を判定した。
○：３．０ｍＮ/ｍ未満
△：５．０ｍＮ/ｍ以上、８．０ｍＮ/ｍ未満
×：８．０ｍＮ/ｍ以上
【００４７】
＜洗浄試験＞
皮脂汚れに対する洗浄性評価としては湿式人工汚染布［（財）洗濯科学協会製］を、タンパク汚れに対する洗浄性評価としてはＥＭＰＡ１１７汚染布［ＥＭＰＡ  Ｔｅｓｔｍａｔｅｒｉａｌｉｅｎ社製］を用いた。
【００４８】
（１）衣料用洗浄剤組成物１．０ｋｇに、上記の湿式人工汚染布又はＥＭＰＡ１１７汚染布５枚ずつを投入し、ターゴトメーター［（株）大栄科学精器製作所製］を用いて温度２５度、回転速度１２０ｒｐｍで１０分間撹拌して洗浄する。
（２）洗浄後の汚染布を水１．０ｋｇに投入し、温度２５度、回転速度１２０ｒｐｍで１分間撹拌してすすぎ洗いをする。
（３）洗浄済みの布を取り出し、ギヤーオーブン：ＧＰＳ−２２２［エスペック（株）製］を用いて５０℃で６０分間乾燥し、試験布を得る。
（４）分光式色差計：ＳｐｅｃｔｒｏＰｈｏｔｏｍｅｔｅｒ  ＳＤ５０００［日本電色工業（株）製］を使用して、試験布の５４０ｎｍの反射率を、試験布１枚ごとに表裏１個所ずつ計２個所（試験布５枚で合計１０個所）測定する。
（５）合計１０個所の反射率の平均値を求め、下記の数式（１）で洗浄率（％）を算出する。洗浄率が高いほど、洗浄性に優れることを示す。
【００４９】
洗浄率（％）＝［（ＲＷ−ＲＳ）／（ＲＩ−ＲＳ）］×１００    （１）
なお、式（１）中、ＲＩは清浄布［（財）洗濯科学協会製の清浄布］の反射率、ＲＷは洗浄布［（３）で得た試験布］の反射率、ＲＳは汚染布［（１）の洗浄前の汚染布］の反射率を示す。
【００５０】
皮脂汚れに対する洗浄性と、タンパク汚れに対する洗浄性を、下記の判定基準で、それぞれ判定した。
＜皮脂汚れの洗浄性＞
○：洗浄率５５％以上
△：洗浄率５０％以上、５５％未満
×：洗浄率５０％未満、
＜タンパク汚れの洗浄性＞
○：洗浄率３０％以上
△：洗浄率２５％以上、３０％未満
×：洗浄率２５％未満
【００５１】
本発明の実施例１〜５の衣料用洗浄剤組成物は界面張力と界面粘弾性が優れるため、皮脂汚れにもタンパク汚れにも両方に優れた洗浄性を示す。
一方、ノニオン界面活性剤としてポリオキシアルキレンアルキルエーテル（Ａ）のみである比較例１及び比較例６の比較用の衣料用洗浄剤組成物は、界面張力に劣り、皮脂汚れの洗浄性に劣る。
ポリオキシアルキレンアルキルエーテル（Ａ）とポリオキシアルキレンアルキルエーテル（Ｂ）の併用系であるが、ｎ−ｍが範囲外である比較例２の比較用の衣料用洗浄剤組成物は、界面粘弾性に劣り、皮脂汚れの洗浄性に劣る。
ポリオキシアルキレンアルキルエーテル（Ａ）とポリオキシアルキレンアルキルエーテル（Ｂ）の併用系であるが、ｍが範囲外である比較例３の比較用の衣料用洗浄剤組成物は、界面粘弾性に劣り、皮脂汚れの洗浄性に劣る。
ポリオキシアルキレンアルキルエーテル（Ａ）とポリオキシアルキレンアルキルエーテル（Ｂ）の併用系であるが、Ｒ１の炭素数が１０〜１８の範囲外である比較例４及び比較例５の比較用の衣料用洗浄剤組成物は、界面張力及び界面粘弾性に劣り、皮脂汚れの洗浄性に劣る。
ノニオン界面活性剤としてポリオキシアルキレンアルキルエーテル（Ｂ）のみである比較例７及び１１の比較用の衣料用洗浄剤組成物は、界面張力に劣り、皮脂汚れの洗浄性に劣る。
ポリオキシアルキレンアルキルエーテル（Ａ）とポリオキシアルキレンアルキルエーテル（Ｂ）の併用系であるが、ｎが範囲外である比較例８の比較用の衣料用洗浄剤組成物は、界面張力及び界面粘弾性に劣り、皮脂汚れの洗浄性に劣る。
ポリオキシアルキレンアルキルエーテル（Ａ）とポリオキシアルキレンアルキルエーテル（Ｂ）の併用系であるが、Ｒ２の炭素数が１０〜１８の範囲外である比較例９及び比較例１０の比較用の衣料用洗浄剤組成物は、界面張力及び界面粘弾性に劣り、皮脂汚れの洗浄性に劣る。
一方、アニオン界面活性剤を併用していない比較例１２〜１４の比較用の衣料用洗浄剤組成物は、皮脂汚れに対しては優れた洗浄性を示すが、タンパク汚れに対する洗浄性に劣る。
【産業上の利用可能性】
【００５２】
本発明の衣料用洗浄剤組成物は、アニオン界面活性剤併用時にも優れた皮脂汚れ洗浄性及びタンパク汚れ洗浄性を示すため、衣料用洗浄剤好適に使用できる。